【手続補正書】
【提出日】平成19年10月9日(2007.10.9)
【手続補正１】
【補正対象書類名】明細書
【補正対象項目名】０００６
【補正方法】変更
【補正の内容】
【０００６】
従来技術の解決策の１つは、光学式ペンを用いてユーザ定義コマンドを認識し、そのコマンドを用いてペンの特定の機能を引き起こす（例えば、ＰＣＴ出願公開０１／４８５９０Ａ１。）例えば、ユーザの記述は、（例えば、リアルタイムで）認識され、光学式ペンに対するコマンドとして解釈され得る。この解決策の欠点は、ペンの機能の相互作用及び制御が、ユーザの手書きが（例えば、ユーザが紙上にコマンドを筆記するにつれて）リアルタイムで認識されることを必要とすることを伴う。この解決策は、光学式ペンのより複雑な機能との相互作用が、ユーザが１つ又は複数のコマンドを繰り返し筆記してペンによって備えられる種々の選択、オプション又は機能をアクセスすることを必要とすることが理由で、満足なものでない。
【特許文献１】米国特許出願第２００２／０２３９５７号明細書
【特許文献２】米国特許出願第２００３／０１６２１６２号明細書
【特許文献３】米国特許出願第２００４／０２２９１９５号明細書
【特許文献４】米国特許出願第２００５／００５５６２８号明細書
【特許文献５】米国特許第４，４６４，１１８号明細書
【特許文献６】米国特許第４，８４１，３８７号明細書
【特許文献７】米国特許第５，４８５，１７６号明細書
【特許文献８】米国特許第５，５９６，６９８号明細書
【特許文献９】米国特許第５，７３０，６０２号明細書
【特許文献１０】米国特許第５，９１４，７０７号明細書
【特許文献１１】米国特許第６，１９９，０４２号明細書
【特許文献１２】米国特許第６，６２８，８４７号明細書
【特許文献１３】国際公開第ＷＯ１９９９／５７６４８号パンフレット
【特許文献１４】国際公開第ＷＯ２００３／０６７５５３号パンフレット
【特許文献１５】国際公開第ＷＯ２００３／０８３７６３号パンフレット
【特許文献１６】国際公開第ＷＯ２００４／０８４１９０号パンフレット
【特許文献１７】中国特許第１，１４２，４７１号明細書
【特許文献１８】欧州特許第０，８６６，３９７号明細書
【特許文献１９】欧州特許第１，２５６，０９１号明細書
【特許文献２０】フランス国特許第２，８１１，１３０号明細書
【特許文献２１】米国特許出願第２００３／００１４６１５号明細書
【特許文献２２】米国特許第５，６５２，７１４号明細書
【特許文献２３】米国特許第５，８０１，６８７号明細書
【特許文献２４】米国特許出願第２００３／０１４６１５号明細書
【特許文献２５】米国特許出願第２００４／０１４０９６６号明細書
【特許文献２６】米国特許第６，５０２，７５６号Ｂ１明細書
【特許文献２７】米国特許第６，９６６，４９５号Ｂ２明細書
【特許文献２８】国際公開第ＷＯ０１／９５５５９Ａ１号パンフレット
【特許文献２９】国際公開第ＷＯ０１／７１４３７Ａ１号パンフレット
【特許文献３０】国際公開第ＷＯ０１／７５７２３Ａ１号パンフレット
【特許文献３１】国際公開第ＷＯ０１／２６０３２Ａ１号パンフレット
【特許文献３２】国際公開第ＷＯ０１／７５７８０Ａ１号パンフレット
【特許文献３３】国際公開第ＷＯ０１／０１６７０Ａ１号パンフレット
【特許文献３４】国際公開第ＷＯ０１／７５７７３Ａ１号パンフレット
【特許文献３５】国際公開第ＷＯ０１／７１４７５Ａ１号パンフレット
【特許文献３６】国際公開第ＷＯ００／７３９８３Ａ１号パンフレット
【特許文献３７】国際公開第ＷＯ０１／１６６９１Ａ１号パンフレット
【特許文献３８】米国特許第５，４６６，１５８号Ａ明細書
【特許文献３９】米国特許第５，９５７，６９７号Ａ明細書
【特許文献４０】米国特許第６，０５２，１１７号Ａ明細書
【特許文献４１】米国特許第６，２１８，９６４号Ｂ１明細書
【特許文献４２】米国特許第６，３２２，３６９号Ｂ１明細書
【特許文献４３】米国特許第６，３３１，８６５号Ｂ１明細書
【特許文献４４】米国特許第６，３６３，２３９号Ｂ１明細書
【特許文献４５】米国特許第６，４９３，７３４号Ｂ１明細書
【特許文献４６】米国特許出願第２００３／００２９９１９号Ａ１明細書
【特許文献４７】米国特許第６，５３５，７９９号Ｂ２明細書
【特許文献４８】米国特許出願第２００３／０１１２２２０号Ａ１明細書
【特許文献４９】米国特許出願第２００３／０１９５８２０号Ａ１明細書
【特許文献５０】米国特許第６，９３３，９２８号Ｂ１明細書
【特許文献５１】米国特許第５，４１３，４８６号Ａ明細書
【特許文献５２】米国特許第５，４７４，４５７号Ａ明細書
【特許文献５３】米国特許第５，５２０，５４４号Ａ明細書
【特許文献５４】米国特許第５，６６３，７４８号Ａ明細書
【特許文献５５】米国特許第５，６９７，７９３号Ａ明細書
【特許文献５６】米国特許第５，９０２，９６８号Ａ明細書
【特許文献５７】米国特許第６，０２１，３０６号Ａ明細書
【特許文献５８】米国特許第６，０４１，２１５号Ａ明細書
【特許文献５９】米国特許第６，１４８，１７３号Ａ明細書
【特許文献６０】米国特許第６，２９７，８１２号Ｂ１明細書
【特許文献６１】米国特許第６，３３１，８６７号Ｂ１明細書
【特許文献６２】米国特許第６，５５６，１８８号Ｂ１明細書
【特許文献６３】米国特許第６，７７１，２８３号Ｂ２明細書
【特許文献６４】米国特許第５，５７２，６５１号Ａ明細書
【特許文献６５】米国特許第６，０６４，８５５号Ａ明細書
【特許文献６６】米国特許第６，０７２，４７６号Ａ明細書
【特許文献６７】米国特許第６，１２４，８５１号Ａ明細書
【特許文献６８】米国特許第６，２５２，５６４号Ｂ１明細書
【特許文献６９】米国特許第６，４２１，５２４号Ｂ１明細書
【特許文献７０】米国特許出願第２００２／０１１８２３０号Ａ１明細書
【特許文献７１】米国特許第６，６７６，４１１号Ｂ２明細書
【特許文献７２】米国特許出願第２００４／０１６４９７５号Ａ１明細書
【特許文献７３】米国特許第６，８８６，０３６号Ｂ１明細書
【特許文献７４】米国特許第６，９４０，４９１号Ｂ２明細書
【特許文献７５】米国特許第６，９６６，７７７号Ｂ２明細書
【特許文献７６】米国特許第７，０３５，５８３号Ｂ２明細書
【特許文献７７】米国特許第５，２０９，６６５号Ａ明細書
【特許文献７８】米国特許第５，４０９，３８１号Ａ明細書
【特許文献７９】米国特許第５，６４０，１９３号Ａ明細書
【特許文献８０】米国特許第５，９０３，７２９号Ａ明細書
【特許文献８１】米国特許第５，９５１，２９８号Ａ明細書
【特許文献８２】米国特許第６，２５６，６３８号Ｂ１明細書
【特許文献８３】米国特許第６，２９７，８２４号Ｂ１明細書
【特許文献８４】米国特許出願第２００２／０１１３８２３号Ａ１明細書
【特許文献８５】米国特許出願第２００２／０１１３８０２号Ａ１明細書
【特許文献８６】米国特許出願第２００２／０１９３９７５号Ａ１明細書
【特許文献８７】米国特許出願第２００３／００２５９５１号Ａ１明細書
【特許文献８８】米国特許出願第２００４／００３９７５０号Ａ１明細書
【特許文献８９】米国特許第６，７６３，９９５号Ｂ１明細書
【特許文献９０】米国特許第５，３５６，２９６号Ａ明細書
【特許文献９１】米国特許第５，４０６，３０７号Ａ明細書
【特許文献９２】米国特許第５，４３８，６６２号Ａ明細書
【特許文献９３】米国特許第５，６６１，５０６号Ａ明細書
【特許文献９４】米国特許第５，９１０，００９号Ａ明細書
【特許文献９５】米国特許第６，０７６，７３４号Ａ明細書
【特許文献９６】米国特許第６，０８１，２６１号Ａ明細書
【特許文献９７】米国特許第６，１８１，３２９号Ｂ１明細書
【特許文献９８】米国特許第６，３３０，９７６号Ｂ１明細書
【特許文献９９】米国特許第６，４７６，８３４号Ｂ１明細書
【特許文献１００】米国特許第６，５１６，１８１号Ｂ１明細書
【特許文献１０１】米国特許出願第２００３／００５２９００号Ａ１明細書
【特許文献１０２】米国特許第７，００６，１１６号Ｂ１明細書
【特許文献１０３】米国特許第６，４０５，１６７号Ｂ１明細書
【特許文献１０４】米国特許出願第２００２／００８７５９８号Ａ１明細書
【特許文献１０５】米国特許第６，５８７，８５９号Ｂ２明細書
【特許文献１０６】米国特許出願第２００４／０１６７８９５号Ａ１明細書
【特許文献１０７】米国特許出願第２００５／０００５２４６号Ａ１明細書